(57)【要約】  【課題】  コアを確実に放熱させることができ、もって電源ユニットの機能を十分に発揮させる。  【解決手段】  インダクタンス部品２００の外形をなす略直方体のコア２０１の上面を覆う天板部１０１と、コア２０１の側面を覆う２つの側板部１０２と、実際に実装面上に固定される部分である２つの固定端１０３と、側板部から天板部にかけての折れ曲がり部分に形成され、コア２０１の上面の両端部を押圧する２つの押圧片１０４からなり、これらは所定の厚さを有する一枚の金属板を打ち抜き加工および曲げ加工することによって一体的に形成されている。押圧片１０４は、側板部１０２に支点を有し、コアの上面に押圧点を有する略Ｌ字状の部材となっている。【選択図】  図２
2005340458.tif 000002
【特許請求の範囲】
【請求項１】
コアを有するインダクタンス部品を実装面上に固定するための固定具であって、
前記コアの上面を覆う天板部と、
前記コアの側面を覆う側板部と、
前記側板部に支点を有し、前記コアの前記上面に押圧点を有する略Ｌ字状の押圧片と、
を有することを特徴とするインダクタンス部品の固定具。
【請求項２】
前記押圧片は、前記コアの前記側面にさらに押圧点を有することを特徴とする請求項１に記載のインダクタンス部品の固定具。
【請求項３】
前記コアの前記上面の一端を押圧する第１の押圧片と、前記コアの前記上面の他端を押圧する第２の押圧片とを有することを特徴とする請求項１または２に記載のインダクタンス部品の固定具。
【請求項４】
コアを有するインダクタンス部品と、前記インダクタンス部品を固定する請求項１乃至３のいずれか１項に記載のインダクタンス部品の固定具とを少なくとも備えていることを特徴とする電源ユニット。
【発明の詳細な説明】
【技術分野】
【０００１】
本発明は、インダクタンス部品の固定具およびこれを用いた電源ユニットに関し、より詳細には、電源ユニットの性能を十分に発揮させることが可能な固定具およびこの固定具を用いた電源ユニットに関するものである。
【背景技術】
【０００２】
電子機器に所定の電力を供給する電源ユニットにはインダクタンス部品が実装されている。インダクタンス部品は、通常、コイル、コアおよびボビンから構成されており、通電時にはコアが発熱するが、電源ユニットの性能を十分に発揮させるためにはコアが十分に冷却され、電源ユニット全体が安定した温度で動作することが望まれる。そのため、インダクタンス部品をヒートシンク上に載置し、コアで生じた熱をヒートシンクから放熱させることが必要である。しかし、コアがヒートシンクに密着していなければヒートシンクに熱が伝わらず、十分に放熱されないため、電源ユニットの機能が著しく低下することになる。
【０００３】
そこで、たとえば、図８に示されるようなインダクタンス部品の固定具が知られている。このインダクタンス部品の固定具８００は、インダクタンス部品のコアの上面を覆う天板部８０１と、インダクタンス部品のコアの両側面を覆う側板部８０２と、ねじ止め用の丸穴が設けられている固定端８０３とを有している。この固定具８００は、インダクタンス部品のコアの上面を押圧することによりコアを実装面に押し付けて、コアとその実装面をなすヒートシンクとの密着性を高め、コアの放熱性を高めるものである。なお、このインダクタンス部品の固定具８００は、コアの上面の両端の２点Ｐ１およびＰ２を押圧する、いわゆる２点押しタイプである。コアの上面の中央部のみを押圧する１点押しタイプの固定具では、センターギャップを有するコアに対して使用した場合に、落下等の衝撃が加わるとコアが割れてしまうことがあるため、いわゆる２点押しタイプの固定具のほうが好ましく使用される。
【０００４】
また、押圧片を備えたインダクタンス部品の固定具も知られている（特許文献１を参照）。この固定具は、天板部を部分的に切り欠くことによって形成された押圧片によってインダクタンス部品を上方から押圧するように構成されている。
【特許文献１】特開２００２−３６９５２８号公報
【発明の開示】
【発明が解決しようとする課題】
【０００５】
ところで、電源ユニットの小型化および低背化の要求に答えるべく、固定具の高さ寸法はできるだけ小さいことが望ましい。また、固定具の高さ寸法を小さくすればその展開面積も小さくなるため低コストを実現することもできる。
【０００６】
しかしながら、図８に示した従来のインダクタンス部品の固定具８００では、固定具の高さ寸法を小さくすればするほどコアに対しての遊びが少なくなり、固定具の側板部８０２が変形しにくくなるという問題がある。このため、剛性、すなわちバネ定数が大きくなり、高さ寸法の公差を十分吸収することができず、押圧力の管理も厳しくなる。一方、固定具の高さ寸法を大きくすれば高さ寸法の公差を吸収することができるが、電源ユニットの小型化および低背化に対する要求を満足させることは困難となる。
【０００７】
また、上述した押圧片を備えた従来のインダクタンス部品の固定具であれば、図８に示した従来の固定具８００のような問題はそれほど大きくないが、押圧片が天板部分にのみ形成されているため、コアの高さ寸法の公差を十分吸収することができず、そのため場合によってはコアに対して十分な押圧力を与えることができず、コアとヒートシンクとの密着が不十分となっていた。したがって、コアからヒートシンクへの放熱も不十分となり、電源ユニットの機能が低下するという問題があった。
【０００８】
したがって、本発明の目的は、コアを確実に放熱させることができ、もって電源ユニットの機能を十分に発揮させることが可能なインダクタンス部品の固定具を提供することにある。また、本発明の目的は、インダクタンス部品からの発熱によらず安定的に動作することが可能な電源ユニットを提供することにある。
【課題を解決するための手段】
【０００９】
本発明の前記目的は、コアを有するインダクタンス部品を実装面上に固定するための固定具であって、前記コアの上面を覆う天板部と、前記コアの側面を覆う側板部と、前記側板部に支点を有し、前記コアの前記上面に押圧点を有する略Ｌ字状の押圧片とを有することを特徴とするインダクタンス部品の固定具によって達成される。
【００１０】
本発明によれば、押圧片が外側に広がってコアの高さ寸法の公差を吸収するので、最適な押圧力でコアを実装面に押し付けることができる。したがって、コアを確実に放熱させることができ、もって電源ユニットの機能を十分に発揮させることができる。
【００１１】
本発明の好ましい実施形態において、前記押圧片は、前記コアの前記側面にさらに押圧点を有している。
【００１２】
本発明の好ましい実施形態によれば、コアの上面とともにコアの側面も押圧するので、コアの横方向の固定も確実となり、振動に起因して生じるコアの取り付けの緩みを確実に防止することができる。
【００１３】
本発明の好ましい実施形態においては、前記コアの前記上面の一端を押圧する第１の押圧片と、前記コアの前記上面の他端を押圧する第２の押圧片とを有している。
【００１４】
本発明の好ましい実施形態によれば、センターギャップを有するコアに対して好適なインダクタンス部品の固定具を提供することができる。
【００１５】
本発明の前記目的はまた、コアを有するインダクタンス部品と、前記インダクタンス部品を固定する前記インダクタンス部品の固定具とを少なくとも備えていることを特徴とする電源ユニットによっても達成される。
【発明の効果】
【００１６】
本発明によれば、コアを確実に放熱させることができ、もって電源ユニットの機能を十分に発揮させることが可能なインダクタンス部品を提供することができる。また、本発明によれば、インダクタンス部品からの発熱によらず安定的に動作することが可能な電源ユニットを提供することができる。
【発明を実施するための最良の形態】
【００１７】
以下、添付図面を参照しながら、本発明の好ましい実施の形態について詳細に説明する。
【００１８】
図１は、本発明の好ましい実施形態にかかるインダクタンス部品の固定具の形状を示す略斜視図である。また、図２は、かかる固定具がインダクタンス部品に装着された状態を示す略斜視図である。
【００１９】
図１および図２に示されるように、このインダクタンス部品の固定具１００は、インダクタンス部品２００の外形をなす略直方体のコア２０１の上面を覆う天板部１０１と、コア２０１の側面を覆う２つの側板部１０２と、実際に実装面上に固定される部分である２つの固定端１０３と、側板部から天板部にかけての折れ曲がり部分に形成され、コア２０１の上面の両端部を押圧する２つの押圧片１０４からなり、これらは所定の厚さを有する一枚の金属板を打ち抜き加工および曲げ加工することによって一体的に形成されている。
【００２０】
天板部１０１の幅は、略直方体のコア２０１がぴったりはまり込むようにコア２０１の幅と等しく設定される。また、側板部１０２は、天板部１０１の両端から下方へ直角に折り曲げられて形成された平板部分である。これら２つの側板部１０２と、天板部１０１とによって、コア２０１がはめ込まれる枠としての役割を果たす。
【００２１】
固定端１０３は、側板部１０２の先端部分が外側へ直角に折り曲げられて形成された実装面と平行な翼状の平板部分である。固定端１０３をなす平板部分の中央にはネジ止め固定用の丸穴１０５が設けられている。
【００２２】
固定具１００の側板部１０２から天板部１０１にわたる折れ曲がり部分には、打ち抜き加工によりＵ字状の切り欠き１０６が形成されており、これによって切り分けられた部分に押圧片１０４が形成される。押圧片１０４は、側板部１０２に支点を有し、コアの上面に押圧点を有する略Ｌ字状（爪状）の部材となっている。なお、押圧片１０４は、コア２０１の上面部分や側面部分を覆う役割も果たしている。
【００２３】
以上のように構成された固定具１００を用いてインダクタンス部品２００を固定する場合には、所定の実装位置に仮止めされたインダクタンス部品２００の上方から固定具１００が被せられた後、固定端１０３がねじ１０７により固定される。これにより、インダクタンス部品２００は所定の実装位置で確実に固定される。このとき、押圧片１０４によってコア２０１が下方に押し付けられ、コア２０１の底面と実装面をなすヒートシンクとが密着することから、コア２０１の放熱効果を高めることができる。また、もしコア２０１の高さ寸法が設計値よりも大きい場合には、押圧片１０４が図１の矢印Ｘ方向に示す外側に広がってコア２０１の高さ寸法の公差を吸収するので、押圧力の調整が容易となる。
【００２４】
図３は、電源ユニットの外観構成を示す略斜視図である。
【００２５】
図３に示されるように、この電源ユニット３００は、ヒートシンクとしての機能を有するベースプレート３０１上にインダクタンス部品２００が実装されており、各インダクタンス部品２００は上述した固定具１００によって固定されている。またベースプレート３０１上には各種電子部品が実装されたプリント基板３０２が搭載されており、インダクタンス部品２００の配線はこのプリント基板３０２上の回路に接続されている。このように、本実施形態にかかる固定具１００を用いてインダクタンス部品２００をベースプレート３０１上に固定すれば、インダクタンス部品２００をベースプレート３０１上の所定の実装位置に確実に固定することができる。さらにインダクタンス部品２００のコア２０１が押圧片１０４によって下方に押し付けられ、コア２０１の底面とベースプレート３０１とが密着することから、コア２０１の放熱効果を高めることができる。したがって、電源ユニット３００の性能を十分に発揮させることができる。
【００２６】
前記実施形態においては、押圧片が左右に１つずつ形成されているインダクタンス部品の固定具について説明したが、押圧片は片側に複数個設けられていてもかまわない。
【００２７】
図４は、本発明の他の好ましい実施形態にかかるインダクタンス部品の固定具の形状を示す略斜視図である。
【００２８】
図４に示されるように、このインダクタンス部品の固定具４００は、押圧片１０４を左右に２つずつ備えている点が図１に示したインダクタンス部品の固定具１００と異なっている。その他の基本的な構成は、図１の固定具１００と同様である。本実施形態によれば、図１の固定具１００と同様に、押圧片は外側に広がってコアの高さ寸法の公差を吸収するので、最適な押圧力でコアを実装面に押し付けることができる。したがって、コアを確実に放熱させることができ、もって電源ユニットの機能を十分に発揮させることができる。また、コアの上面の４点を押圧していることから、とくに実装面積の大きなコアの上面に対して均等な押圧力を加えることができる。
【００２９】
図５は、本発明のさらに他の好ましい実施形態にかかるインダクタンス部品の固定具の形状を示す略斜視図である。
【００３０】
図５に示されるように、このインダクタンス部品の固定具５００は、押圧片１０４を片側に１つだけ備えており、また固定具５００の片側にのみ固定端１０３が設けられており、片側のみがねじ止め固定されている点が図１に示したインダクタンス部品の固定具１００と異なっている。その他の基本的な構成は、図１の固定具１００と同様である。
【００３１】
すなわち、本実施形態にかかるインダクタンス部品の固定具５００は、コアの上面を覆う天板部１０１と、コアの一方の側面を覆う第１の側板部５０１と、他方の側面の一部を覆う第２の側板部５０２と、実際に実装面上に固定される部分である固定端１０３と、側板部から天板部にかけての折れ曲がり部分に形成され、コアの上面の両端部を押圧する押圧片１０４からなる。第２の側板部の長さは第１の側板部よりも短く、その先端に固定端１０３は設けられていないが、第１の側板部５０１、第２の側板部５０２および天板部１０１によって、コアがはめ込まれる枠としての役割を果たしている。本実施形態にかかるインダクタンス部品の固定具５００は、比較的小さなインダクタンス部品に対して好ましく使用することができ、その場合には片側のみのねじ止めであっても十分に固定することができ、コアに対する押圧力も十分確保することができる。
【００３２】
図６は、本発明のさらに他の好ましい実施形態にかかるインダクタンス部品の固定具の形状を示す略断面図である。
【００３３】
図６に示されるように、このインダクタンス部品の固定具６００は、略Ｌ字状の押圧片１０４がその支点から角度θほど内側に折り曲げられており、これによりコアの上面のみならずコアの側面にも押圧点を有する点が図１に示したインダクタンス部品の固定具１００と異なっている。なお、このときの押圧点はコアの側面の上端部となる。その他の基本的な構成は、図１の固定具１００と同様である。
【００３４】
本実施形態によれば、コアの上面とともにコアの側面も押圧するので、コアの横方向の固定も確実となり、振動に起因して生じるコアの取り付けの緩みを確実に防止することができる。
【００３５】
図７は、本発明のさらに他の好ましい実施形態にかかるインダクタンス部品の固定具の形状を示す略断面図である。
【００３６】
図７に示されるように、このインダクタンス部品の固定具７００は、略Ｌ字状の押圧片１０４のうちコアの側面と接する部分が内側に略Ｖ字状に折り曲げられており、これによりコアの上面のみならずコアの側面にも押圧点Ｐ３を有する点が図１に示したコアの上面のみに押圧点を有するインダクタンス部品の固定具１００と異なっている。なお、このときの押圧点Ｐ３はコアの側面の略中央部となる。その他の基本的な構成は、図１の固定具１００と同様である。
【００３７】
本実施形態によれば、図６のインダクタンス部品の固定具６００と同様、コアの上面とともにコアの側面も押圧するので、コアの横方向の固定も確実となり、振動に起因して生ずるコアの取り付けの緩みを確実に防止することができる。
【００３８】
本発明は、以上の実施形態に限定されることなく、特許請求の範囲に記載された発明の範囲内で種々の変更を加えることが可能であり、これらも本発明の範囲に包含されるものであることは言うまでもない。
【００３９】
たとえば、前記実施形態においては、インダクタンス部品の固定具をヒートシンク上に固定する場合について説明したが、このような使用に限定されるものではない。すなわち、本発明にかかるインダクタンス部品の固定具は、ヒートシンク上にインダクタンス部品を固定する場合にとくに好適であるが、たとえば、インダクタンス部品を絶縁基板上に固定するために用いてもかまわない。
【図面の簡単な説明】
【００４０】
【図１】図１は、本発明の好ましい実施形態にかかるインダクタンス部品の固定具の形状を示す略斜視図である。
【図２】図２は、固定具がインダクタンス部品に装着された状態を示す略斜視図である。
【図３】図３は、電源ユニットの外観構成を示す略斜視図である。
【図４】図４は、本発明の他の好ましい実施形態にかかるインダクタンス部品の固定具の形状を示す略斜視図である。
【図５】図５は、本発明のさらに他の好ましい実施形態にかかるインダクタンス部品の固定具の形状を示す略斜視図である。
【図６】図６は、本発明のさらに他の好ましい実施形態にかかるインダクタンス部品の固定具の形状を示す略断面図である。
【図７】図７は、本発明のさらに他の好ましい実施形態にかかるインダクタンス部品の固定具の形状を示す略断面図である。
【図８】図８は、従来のインダクタンス部品の固定具の形状を示す略斜視図である。
【符号の説明】
【００４１】
１００      インダクタンス部品の固定具
１０１      天板部
１０２      側板部
１０３      固定端
１０４      押圧片
１０５      ねじ止め用丸穴
１０６      切り欠き
２００      インダクタンス部品
２０１      コア
３００      電源ユニット
３０１      ベースプレート
３０２      プリント基板
４００      インダクタンス部品の固定具
５００      インダクタンス部品の固定具
５０１      第１の側板部
５０２      第２の側板部
６００      インダクタンス部品の固定具
７００      インダクタンス部品の固定具
８００      インダクタンス部品の固定具
８０１      天板部
８０２      側板部
８０３      固定端
【図１】
2005340458.tif 000003
【図２】
2005340458.tif 000004
【図３】
2005340458.tif 000005
【図４】
2005340458.tif 000006
【図５】
2005340458.tif 000007
【図６】
2005340458.tif 000008
【図７】
2005340458.tif 000009
【図８】
2005340458.tif 000010